(57)【要約】【課題】公共の場や飲食店内のトイレなどを利用しなくても歯を磨く事が出来るようにする事と、自宅などまで帰らずとも歯を磨く事が出来るようにする事と、自分専用の道具を預かってもらい常に持ち運ばなくても良いようにする事と、飲食物を提供する業態などに於いて、必要に応じてその都度歯磨きの場所、道具、受託・管理を提供されるようにする事を課題とする。【解決手段】歯磨きの場所や道具を提供し、またその歯磨きに使用する道具を個人専用として預託・管理する事を特徴とするサービス方法である。【選択図】　　　なし【特許請求の範囲】
【請求項１】
歯科などによる専門的な治療の目的ではなく、日常生活に於いて必要に応じその都度、歯磨きの場所の提供を有償・無償に関わらず行い、専業とする事を特徴とするサービス方法。
【請求項２】
歯科などによる専門的な治療の目的ではなく、日常生活に於いて必要に応じその都度、歯磨きに使用する道具を個人専用として受託・管理し、それらの業務を有償・無償に関わらず行い、専業とする事を特徴とするサービス方法。
【請求項３】
歯科などによる専門的な治療の目的ではなく、日常生活に於いて必要に応じその都度、歯磨きの場所の提供を有償・無償に関わらず行い専業とする事、また歯磨きの道具の提供を有償・無償に関わらず行い専業とする事、さらにはその歯磨きに使用する道具を個人専用として受託・管理する事を有償・無償に関わらず行い専業とする事、これらの業務を組合せの如何に関わらず２つ以上同時に提供する事を特徴とするサービス方法。
【請求項４】
旅館業法並びに公衆浴場法の定める許可を受けた業態の施設や店舗を除く、飲食物を提供する全ての業態の施設や店舗に於いて、その施設や店舗の内部ないしはその施設や店舗から５０メートル以内に歯磨き専用の場所を設置し、　それらを有償・無償に関わらず提供する事を特徴とするサービス方法。
【請求項５】
旅館業法並びに公衆浴場法の定める許可を受けた業態の施設
や店舗を除く、飲食物を提供する全ての業態の施設や店舗に於いて、その施設や店舗の内部ないしはその施設や店舗から５０メートル以内で歯磨きに使用する道具を個人専用として受託・管理し、それらの業務を有償・無償に関わらず提供する事を特徴とするサービス方法。
【請求項６】
旅館業法並びに公衆浴場法の定める許可を受けた業態の施設や店舗を除く、飲食物を提供する全ての業態の施設や店舗に於いて、その施設や店舗の内部ないしはその施設や店舗から５０メートル以内に歯磨き専用の場所を設置し、それらを有償・無償に関わらず提供する事、また歯磨きの道具を有償・無償に関わらず提供する事、　さらにはその歯磨きに使用する道具を個人専用として受託・管理する事を有償・無償に関わらず提供する事、これらの業務を組合せの如何に関わらず２つ以上同時に提供する事を特徴とするサービス方法。
【発明の詳細な説明】
【０００１】
【発明が属する技術分野】
この発明は、歯磨きのサービス方法に関する。
【０００２】
【従来の技術】
請求項１から請求項６に該当する従来技術は、現在見当たらないため、それぞれの請求項に代用の可能性を残す現状を示す。
代用の可能性を残す物としては、公共のトイレや水飲み場・飲食店内のトイレなどを利用して歯を磨く事が挙げられる。これは、やむをえない場合の特別な措置であり、常識的に考えて慣習化されていないのが現状である。
【０００３】
請求項１から請求項６に該当する従来技術は、現在見当たらないため、それぞれの請求項に関する現状を示す。
請求項１に付いて示す。歯科などによる専門的な治療の目的以外で、日常生活に於いて、歯磨きと歯磨きの場所の提供に関するサービスとは関係性に乏しいのが現状である。
請求項２に付いて示す。歯科などによる専門的な治療の目的以外で、日常生活に於いて、歯磨きと歯磨きの道具の受託・管理に関するサービスとは関係性に乏しいのが現状である。
請求項３に付いて示す。歯科などによる専門的な治療の目的以外で、日常生活に於いて、歯磨きと歯磨きの場所や道具や道具の受託・管理の提供に関するサービスの内、２つ以上の業務を組み合せて提供するサービスとは関係性に乏しいのが現状である。
【０００４】
請求項４に付いて示す。これはその場で飲食をする事、飲食物等を注文して配達してもらう事、飲食物等を購入して持帰る事などが主な目的であり、歯磨きと歯磨きの場所の提供に関するサービスとは関係性に乏しいのが現状である。
請求項５に付いて示す。これはその場で飲食をする事、飲食物等を注文して配達してもらう事、飲食物等を購入して持帰る事などが主な目的であり、歯磨きと歯磨きの道具の受託・管理に関するサービスとは関係性に乏しいのが現状である。請求項６に付いて示す。これはその場で飲食をする事、飲食物等を注文して配達してもらう事、飲食物等を購入して持帰る事などが主な目的であり、歯磨きと　歯磨きの場所や道具や道具の受託・管理に関するサービスの内、２つ以上の業務を組み合せて提供するサービスとは関係性に乏しいのが現状である。
【０００５】
【発明が解決しようとする課題】
しかしながら、以上の従来技術によれば、必要に応じてその都度公共のトイレや水飲み場・飲食店内のトイレなどを利用して歯を磨く場合、自宅などのように人目を気にせず歯を磨く事は出来なかった。また、その場を占有する事が困難だったり、設備や衛生面に不安が有ったり、常に歯磨きの道具を携帯しなければならなかったりと問題点が多い。結果的には、自宅などのような歯を磨ける場所や道具が揃っている所まで帰らなければ歯を磨く事が出来なかったため、非常に不便であった。
【０００６】
請求項１に付いては、日常生活に於いて、歯科などによる専門的な治療の目的以外で、必要に応じてその都度歯磨きの場所を提供される事はなく、非常に不便であった。
請求項２に付いては、日常生活に於いて、歯科などによる専門的な治療の目的以外で、必要に応じてその都度歯磨きの道具の受託・管理を提供される事はなく、非常に不便であった。
請求項３に付いては、日常生活に於いて、歯科などによる専門的な治療の目的以外で、必要に応じてその都度歯磨きの場所や道具や道具の受託・管理の内、２つ以上の業務を組み合せて提供される事はなく、非常に不便であった。
【０００７】
請求項４に付いては、旅館業法並びに公衆浴場法の定める許可を受けた業態の施設や店舗を除く、飲食物を提供する全ての業態の施設や店舗を利用した場合、飲食物の提供を目的とする者であっても、必要に応じてその都度歯磨きの場所を提供される事はなく、非常に不便であった。
請求項５に付いては、旅館業法並びに公衆浴場法の定める許可を受けた業態の施設や店舗を除く、飲食物を提供する全ての業態の施設や店舗を利用した場合、飲食物の提供を目的とする者であっても、必要に応じてその都度歯磨きの道具の受託・管理を提供される事はなく、非常に不便であった。
請求項６に付いては、旅館業法並びに公衆浴場法の定める許可を受けた業態の施設や店舗を除く、飲食物を提供する全ての業態の施設や店舗を利用した場合、飲食物の提供を目的とする者であっても、必要に応じてその都度歯磨きの場所や道具や道具の受託・管理の内、２つ以上の業務を組み合せて提供される事はなく、非常に不便であった。
【０００８】
そこでこの発明は、公共のトイレや水飲み場・飲食店内のトイレなどを利用しなくても歯を磨く事が出来るようにする事と、自宅などのような歯を磨ける場所や道具が揃っている所まで帰らずとも、必要に応じてその都度歯を磨く事が出来るようにする事と、自分専用の歯磨きの道具を受託・管理してもらい常に持ち運ばなくても良い環境を提供する事と、
【０００９】
請求項１に付いては、日常生活に於いて、歯科などによる専門的な治療の目的以外でも、必要に応じてその都度歯磨きの場所を提供されるようにする事と、
請求項２に付いては、日常生活に於いて、歯科などによる専門的な治療の目的以外でも、必要に応じてその都度歯磨きの道具の受託・管理を提供されるようにする事と、
請求項３に付いては、日常生活に於いて、歯科などによる専門的な治療の目的以外でも、必要に応じてその都度歯磨きの場所や道具や道具の受託・管理の内、２つ以上の業務を組み合せて提供されるようにする事と、
【００１０】
請求項４に付いては、旅館業法並びに公衆浴場法の定める許可を受けた業態の施設や店舗を除く、飲食物を提供する全ての業態の施設や店舗を利用した場合、飲食物の提供を目的とする者であれば、必要に応じてその都度歯磨きの場所を提供されるようにする事と、
請求項５に付いては、旅館業法並びに公衆浴場法の定める許可を受けた業態の施設や店舗を除く、飲食物を提供する全ての業態の施設や店舗を利用した場合、　飲食物の提供を目的とする者であれば、必要に応じてその都度歯磨きの道具の受託・管理を提供されるようにする事と、
請求項６に付いては、旅館業法並びに公衆浴場法の定める許可を受けた業態の施設や店舗を除く、飲食物を提供する全ての業態の施設や店舗を利用した場合、飲食物の提供を目的とする者であれば、必要に応じてその都度歯磨きの場所や道具や道具の受託・管理の内、２つ以上の業務を組み合せて提供されるようにする事を課題とする。
【００１１】
【課題を解決するための手段】
以上の課題を解決するために、請求項１の発明は、歯科などによる専門的な治療の目的ではなく、日常生活に於いて必要に応じその都度、歯磨きの場所の提供を有償・無償に関わらず行い、専業とする事を特徴とするサービス方法。
【００１２】
請求項２の発明は、歯科などによる専門的な治療の目的ではなく、日常生活に於いて必要に応じその都度、歯磨きに使用する道具を個人専用として受託・管理し、それらの業務を有償・無償に関わらず行い、専業とする事を特徴とするサービス方法。
【００１３】
請求項３の発明は、歯科などによる専門的な治療の目的ではなく、日常生活に於いて必要に応じその都度、歯磨きの場所の提供を有償・無償に関わらず行い専業とする事、また歯磨きの道具の提供を有償・無償に関わらず行い専業とする事、さらにはその歯磨きに使用する道具を個人専用として受託・管理する事を有償・無償に関わらず行い専業とする事、これらの業務を組合せの如何に関わらず２つ以上同時に提供する事を特徴とするサービス方法。
【００１４】
請求項４の発明は、旅館業法並びに公衆浴場法の定める許可を受けた業態の施設や店舗を除く、飲食物を提供する全ての業態の施設や店舗に於いて、その施設や店舗の内部ないしはその施設や店舗から５０メートル以内に歯磨き専用の場所を設置し、　それらを有償・無償に関わらず提供する事を特徴とするサービス方法。
【００１５】
請求項５の発明は、旅館業法並びに公衆浴場法の定める許可を受けた業態の
施設や店舗を除く、飲食物を提供する全ての業態の施設や店舗に於いて、その施設や店舗の内部ないしはその施設や店舗から５０メートル以内で歯磨きに使用する道具を個人専用として受託・管理し、それらの業務を有償・無償に関わらず提供する事を特徴とするサービス方法。
【００１６】
請求項６の発明は、旅館業法並びに公衆浴場法の定める許可を受けた業態の施設や店舗を除く、飲食物を提供する全ての業態の施設や店舗に於いて、その施設や店舗の内部ないしはその施設や店舗から５０メートル以内に歯磨き専用の場所を設置し、それらを有償・無償に関わらず提供する事、また歯磨きの道具を有償・無償に関わらず提供する事、　さらにはその歯磨きに使用する道具を個人専用として受託・管理する事を有償・無償に関わらず提供する事、これらの業務を組合せの如何に関わらず２つ以上同時に提供する事を特徴とするサービス方法。
【００１７】
【発明の実施の形態】
この発明の一実施形態を示す。
請求項１の実施形態は、移動しながらのサービスの形態と呼び出しに応じて出張するサービスの形態を併せ持った形態を取っても良いし、サービスを実施するための施設や店舗で利用者を待ち受ける形態を取っても良い。
移動や出張の形態による歯磨きの場所の提供方法は、歯を磨くための設備を移動可能な車両などに設置して行い、　歯磨きの場所の設置形態に付いては、簡易的に仕切っても良いし、完全に個室にしても良いが、衛生面やプライバシーを考慮した設置方法であれば特にその形態は問わない。
利用者を待ち受ける形態による施設や店舗での歯磨きの場所の提供方法は、その主要部分を歯磨き専業の場所とし、単数人が歯を磨くための洗面設備などを設置して行うか、複数人が同時に歯を磨けるだけの洗面設備などを設置して行い、　歯磨きの場所の設置形態に付いては、簡易的に仕切っても良いし、完全に個室にしても良いが、衛生面やプライバシーを考慮した設置方法であれば特にその形態は問わない。
【００１８】
請求項２の実施形態は、利用者との契約により歯磨きの道具を勤務先などへ配達して回収する集配サービスの形態を取っても良いし、移動しながらのサービスの形態と呼び出しに応じて出張するサービスの形態を併せ持った形態を取っても良いし、サービスを実施するための施設や店舗で利用者を待ち受ける形態を取っても良い。
管理方法に関しては、衛生面を考慮して乾燥・抗菌・滅菌が行えるケースや棚
などに収納する事が望ましいが、特にその形状や材質、内部の透過性・非透過性に付いては問わない。
また、利用者から受託した歯磨きの道具は当業者が管理して、該当する利用者
が次回利用する際に、当業者の管理する利用者の名簿等と照合して提供する。
当業者が受託した歯磨きの道具の照合方法や当業者の管理する利用者の名簿等
の作成方法に付いては特に問わないが、利用者の所持している携帯端末や、当業者のパソコンなどを利用して業務の迅速化を図るのも良いだろう。
【００１９】
請求項３の実施形態は、利用者との契約により歯磨きの道具を勤務先などへ配達して回収する集配サービスの形態を取っても良いし、移動しながらのサービスの形態と呼び出しに応じて出張するサービスの形態を併せ持った形態を取っても良いし、サービスを実施するための施設や店舗で利用者を待ち受ける形態を取っても良い。
集配サービスの形態に於ける、歯磨きの場所の提供に付いては、実施困難と思われるため記載しない。
移動や出張の形態による歯磨きの場所の提供方法は、歯を磨くための設備を移動可能な車両などに設置して行い、　歯磨きの場所の設置形態に付いては、簡易的に仕切っても良いし、完全に個室にしても良いが、衛生面やプライバシーを考慮した設置方法であれば特にその形態は問わない。
利用者を待ち受ける形態による施設や店舗での歯磨きの場所の提供方法は、その主要部分を歯磨き専業の場所とし、単数人が歯を磨くための洗面設備などを設置して行うか、複数人が同時に歯を磨けるだけの洗面設備などを設置して行い、　歯磨きの場所の設置形態に付いては、簡易的に仕切っても良いし、完全に個室にしても良いが、衛生面やプライバシーを考慮した設置方法であれば特にその形態は問わない。
【００２０】
請求項３の実施形態に記載された全ての形態に於ける歯磨きの道具の提供方法は、利用者の希望に合わせて歯ブラシ・歯磨き粉・嗽コップなどの歯磨きの道具を使い捨ての物にするか、自分専用のものにするか選択してもらう。
使い捨ての物を選択した利用者の歯磨きの道具に付いては、衛生面を考慮して個別包装の物を利用するのが望ましい、また使用後の歯磨きの道具に付いてはそのまま廃棄処分にする。
自分専用の物を選択した利用者の歯磨きの道具に付いては、利用者が自ら買い揃えた道具を利用してもらっても良いし、当業者が予め用意した物の中から好みの物を選択させても良い。
また、利用者の要望によってはレンタルの歯磨き道具を扱っても良い。
但し、利用者を待ち受ける形態による施設や店舗に於いて使い捨ての物を選択した利用者の歯磨きの道具の配付方法に付いては、置きっ放しのセルフサービスよりは、必要に応じてその都度利用者に手渡したり、自動配付機などを利用して配付するのが望ましい。
【００２１】
請求項３の実施形態に記載された全ての形態に於ける、管理方法に関しては、
衛生面を考慮して乾燥・抗菌・滅菌が行えるケースや棚などに収納する事が望ましいが、特にその形状や材質、内部の透過性・非透過性に付いては問わない。
また、利用者から受託した歯磨きの道具は当業者が管理して、該当する利用者が次回利用する際に、当業者の管理する利用者の名簿等と照合して提供する。
当業者が受託した歯磨きの道具の照合方法や当業者の管理する利用者の名簿等
の作成方法に付いては特に問わないが、利用者の所持している携帯端末や、当業者のパソコンなどを利用して業務の迅速化を図るのも良いだろう。
【００２２】
請求項４の実施形態は、施設内や店内の一部を歯磨き専用の場所として仕切るか、その施設や店舗から５０メートル以内に別棟として歯磨き専用棟を設けて歯磨きの場所を提供すると良い。
歯磨きの場所の設置形態に付いては、簡易的に仕切っても良いし、完全に個室にしても良いが、衛生面やプライバシーを考慮した設置方法であれば特にその形態は問わない。
但し、歯磨き専用の場所を施設内や店内に仕切って設置する場合、他の利用者に不快感を与えないよう配慮した設置方法である事が望ましい。
【００２３】
請求項５の実施形態の管理方法に関しては、衛生面を考慮して乾燥・抗菌・滅
菌が行えるケースや棚などに収納する事が望ましいが、特にその形状や材質、内部の透過性・非透過性に付いては問わない。
また、利用者から受託した歯磨きの道具は当業者が管理して、該当する利用者が次回利用する際に、当業者の管理する利用者の名簿等と照合して提供する。
当業者が受託した歯磨きの道具の照合方法や当業者の管理する利用者の名簿等の作成方法に付いては特に問わないが、利用者の所持している携帯端末や、当業者のパソコンなどを利用して業務の迅速化を図るのも良いだろう。
【００２４】
請求項６の実施形態に於ける、歯磨きの場所の提供方法は、施設内や店内の一部を歯磨き専用の場所として仕切るか、その施設や店舗から５０メートル以内に別棟として歯磨き専用棟を設けて歯磨きの場所を提供すると良い。
歯磨きの場所の設置形態に付いては、簡易的に仕切っても良いし、完全に個室にしても良いが、衛生面やプライバシーを考慮した設置方法であれば特にその形態は問わない。
但し、歯磨き専用の場所を施設内や店内に仕切って設置する場合、他の利用者に不快感を与えないよう配慮した設置方法である事が望ましい。
【００２５】
歯磨きの道具の提供方法は、　利用者の希望に合わせて歯ブラシ・歯磨き粉・嗽コップなどの歯磨きの道具を使い捨ての物にするか、自分専用のものにするか選択してもらう。
使い捨ての物を選択した利用者の歯磨きの道具に付いては、衛生面を考慮して個別包装の物を利用する。
使い捨ての物を選択した利用者の歯磨きの道具の配付方法に付いては、特に問わないが、衛生面を考慮して置きっ放しのセルフサービスよりは、必要に応じてその都度利用者に手渡したり、自動配付機などを利用して配付するのが望ましい、また、使用後の歯磨きの道具に付いてはそのまま廃棄処分にする。
【００２６】
自分専用の物を選択した利用者の歯磨きの道具に付いては、利用者が自ら買い揃えた道具を利用してもらっても良いし、当業者が予め用意した物の中から好みの物を選択させても良い。
また、利用者の要望によってはレンタルの歯磨き道具を扱っても良い。
【００２７】
管理方法に関しては、衛生面を考慮して乾燥・抗菌・滅菌が行えるケースや棚などに収納する事が望ましいが、特にその形状や材質、内部の透過性・非透過性に付いては問わない。
また、利用者から受託した歯磨きの道具は当業者が管理して、該当する利用者が次回利用する際に、当業者の管理する利用者の名簿等と照合して提供する。
当業者が受託した歯磨きの道具の照合方法や当業者の管理する利用者の名簿等の作成方法に付いては特に問わないが、利用者の所持している携帯端末や、当業者のパソコンなどを利用して業務の迅速化を図るのも良いだろう。
【００２８】
【発明の効果】
以上説明したように、この発明によれば、請求項１から請求項６の効果は、公共のトイレや水飲み場・飲食店内のトイレなどを利用しなくても歯を磨く事が出来るようになる事、自宅などのような歯を磨ける場所や道具が揃っている所まで帰らずとも必要に応じてその都度歯を磨く事が出来るようになる事、また自分専用の歯磨きの道具を受託・管理してもらう事が出来るため、歯磨きの道具を常に持ち運ばなくても良くなる事である。
【００２９】
請求項１の効果は、歯磨きの場所の提供を専業とするサービス方法が確立する事で、　日常生活に於いて、歯科などによる専門的な治療の目的以外でも、必要に応じてその都度歯磨きの場所の提供を受けられるようになる事である。
請求項２の効果は、　歯磨きに使用する道具を個人専用として受託・管理し、それらの業務を専業とするサービス方法が確立する事で、　日常生活に於いて、歯科などによる専門的な治療の目的以外でも、必要に応じてその都度歯磨きの道具の受託・管理の提供を受けられるようになる事である。
請求項３の効果は、　歯磨きの場所や道具や道具の受託・管理の業務の内、２つ以上の業務を組み合せて提供する事を専業とするサービス方法が確立する事で、日常生活に於いて、歯科などによる専門的な治療の目的以外でも、必要に応じてその都度歯磨きの場所や道具や道具の受託・管理の業務の提供を２つ以上同時に受けられるようになる事である。
【００３０】
請求項４の効果は、　旅館業法並びに公衆浴場法の定める許可を受けた業態の施設や店舗を除く、飲食物を提供する全ての業態の施設や店舗を利用した場合、　飲食物の提供を目的とする者であれば、必要に応じてその都度歯磨きの場所の提供を受けられるようになる事である。
請求項５の効果は、　旅館業法並びに公衆浴場法の定める許可を受けた業態の施設や店舗を除く、飲食物を提供する全ての業態の施設や店舗を利用した場合、　飲食物の提供を目的とする者であれば、必要に応じてその都度歯磨きの道具の受託・管理の提供を受けられるようになる事である。
請求項６の効果は、　旅館業法並びに公衆浴場法の定める許可を受けた業態の施設や店舗を除く、飲食物を提供する全ての業態の施設や店舗を利用した場合、　飲食物の提供を目的とする者であれば、必要に応じてその都度歯磨きの場所や道具や道具の受託・管理の業務の提供を２つ以上組み合せて受けられるようになる事である。